(57)【要約】      （修正有）【課題】簡単に組立及び分解ができるアキュムレータの架台を提供する。【解決手段】互いに独立している、アキュムレータＡＣＣを保持する柱体１０と、柱体１０の前壁の当接部に圧接する台座３と、柱体１０の後壁の当接部に圧接する脚体２０と、を備えたアキュムレータの架台であって、台座３の両側壁を貫通する横棒体７と、横棒体７に、直交方向に連結され、柱体及び脚体の当接部のボルト穴を貫通する通しボルト１５と、通しボルト１５に螺着されるナット１６と、を備えている。【選択図】図３
0003170557.tif 000002
【実用新案登録請求の範囲】
【請求項１】
互いに独立している、アキュムレータを保持する柱体と、該柱体の前壁の当接部に圧接する台座と、該柱体の後壁の当接部に圧接する脚体と、を備えたアキュムレータの架台であって、
前記台座の両側壁を貫通する横棒体と、
前記横棒体に、直交方向に連結され、前記柱体及び脚体の当接部のボルト穴を貫通する通しボルトと、
前記通しボルトに螺着されるナットと、
を備えていることを特徴とするアキュムレータの架台。
【請求項２】
前記柱体及び台座は、四角パイプにより形成され、前記脚体はＬ字状の板体により形成されていることを特徴とする請求項１記載のアキュムレータの架台。
【請求項３】
前記横棒体は、ボルトであり、前記通しボルトは、デンデンボルトであることを特徴とする請求項１記載のアキュムレータの架台。
【請求項４】
前記横棒体は、台座に一体不可分に固定されていることを特徴とする請求項１記載のアキュムレータの架台。
【請求項５】
前記デンデンボルトは、間隔をおいて二本平行に配設されていることを特徴とする請求項１記載のアキュムレータの架台。
【考案の詳細な説明】
【技術分野】
【０００１】
この考案は、流体回路等に配設されるアキュムレータに関するものであり、更に述べれば、アキュムレータを固定する架台に関するものである。
【背景技術】
【０００２】
アキュムレータは、架台に支持されて所定位置に配設されている。この架台は、アキュムレータを保持する柱体と、該柱体の前面に溶着され、前記アキュムレータが載置される台座と、該柱体の下端部に溶着され、前記柱体が左右に倒れないようにする脚体と、を備えており、前記台座と脚体はＴ字状に配設されている（例えば、特許文献１．参照）。
【先行技術文献】
【特許文献】
【０００３】
【特許文献１】特開２００９−１２１６５１号公報
【考案の概要】
【考案が解決しようとする課題】
【０００４】
従来のアキュムレータの架台は、柱体と台座と脚体とが溶接により一体不可分に連結されているので、接続部の強度は十分である。しかし、溶接部の溶接により下面に凸部ができた場合には、グラインダなどにより平滑に仕上げなければならないので、設置作業に時間がかかる。又、アキュムレータを配置替えする場合などに架台の移動が必要になるが、前記架台は溶接により一体不可分に連結されているので、分解することができない。そのため、該架台を搬送する時や収納する時に嵩張ってしまうので、大きなスペースを占めるため、搬送や収納に不便である。
【０００５】
この考案は、上記事情に鑑み、簡単に組立及び分解ができるアキュムレータの架台を提供することを目的とする。
【課題を解決するための手段】
【０００６】
この考案は、互いに独立している、アキュムレータを保持する柱体と、該柱体の前壁の当接部に圧接する台座と、該柱体の後壁の当接部に圧接する脚体と、を備えたアキュムレータの架台であって、前記台座の両側壁を貫通する横棒体と、前記横棒体に、直交方向に連結され、前記柱体及び脚体の当接部のボルト穴を貫通する通しボルトと、前記通しボルトに螺着されるナットと、を備えていることを特徴とする。
【０００７】
この考案の柱体及び台座は、四角パイプにより形成され、前記脚体はＬ字状の板体により形成されていることを特徴とする。この考案の前記横棒体は、ボルトであり、前記通しボルトは、デンデンボルトであることを特徴とする。
【０００８】
この考案の前記横棒体は、台座に一体不可分に固定されていることを特徴とする。この考案の前記デンデンボルトは、間隔をおいて二本平行に配設されていることを特徴とする。
【考案の効果】
【０００９】
この考案は、以上のように、前記台座の両側壁を貫通する横棒体と、前記横棒体に、直交方向に連結され、前記柱体及び脚体の当接部のボルト穴を貫通する通しボルトと、前記通しボルトに螺着されるナットと、を備えているので、前記通しボルトを連結した横棒体の両端部を前記両側壁に固定し、前記通しボルトを前記当接部のボルト穴内を通らせ、そのねじ部をナットで締め付けることにより、組み立てられた架台は強固に連結され、一体となる。又、分解時には、前記と逆の行程を経ることに簡単に分解することができる。
【図面の簡単な説明】
【００１０】
【図１（Ａ）】本考案の第１実施形態を示す斜視図で、柱体の斜視図を示す。
【図１（Ｂ）】本考案の第１実施形態を示す斜視図で、台座の斜視図を示す。
【図１（Ｃ）】本考案の第１実施形態を示す斜視図で、脚体の斜視図を示す。
【図１（Ｄ）】本考案の第１実施形態を示す斜視図で、横棒体の斜視図を示す。
【図１（Ｅ）】本考案の第１実施形態を示す斜視図で、通しボルトの斜視図を示す。
【図２】使用状態を示す斜視図である。
【図３】架台の連結状態を示す斜視図である。
【図４】本考案の第２実施形態を示す斜視図である。
【図５】本考案の第３実施形態を示す斜視図である。
【図６】本考案の第４実施形態を示す斜視図である。
【図７】本考案の第５実施形態を示す斜視図である。
【考案を実施するための形態】
【００１１】
この考案の実施の形態を図１〜図３により説明する。図１（Ｂ）に示すように、アキュムレータＡＣＣを載置する台座３は、四角パイプ、即ち方形状の筒体、により形成され、その一端には、柱体１０に圧接する当接部３ａが設けられ、その他端部中央には取付穴５が形成されている。前記台座３の両側壁３ｂ，３ｂには、横棒体７を支持する支持穴９が設けられているが、この支持穴９の配設位置は、必要に応じて適宜選択される。この台座３の幅は、柱体１０の幅と等しく形成されているが、必ずしも等しくする必要はない。
【００１２】
図１（Ａ）に示すように、アキュムレータＡＣＣを支持する柱体１０は、四角パイプにより形成され、その前壁及び後壁の当接部１０ａ，１０ｂには、通しボルト１５を貫通させる第１ボルト穴１７，１７が設けられている。この柱体１０の高さや幅などは必要に応じて適宜選択される。
【００１３】
図１（Ｃ）に示すように、脚体２０は、Ｌ字状の板体であり、垂直壁２０ａと、該垂直壁２０ａと直交する水平壁２０ｂとを備えている。前記垂直壁２０ａの当接部２０ｃには、前記通しボルト１５が通る第２ボルト穴２２，２２が設けられているが、前記第２ボルト穴２２，２２の間隔は、前記第１ボルト穴１７，１７の同一である。又、前記水平壁２０ｂには、取付穴２４，２４が設けられている。前記脚体２０の長さや両壁２０ａ，２０ｂの高さ等は、必要に応じて適宜選択される。
【００１４】
図１（Ｄ）に示すように、横棒体７として、例えば、一端部に頭部を有し、他端部にねじ部を有するボルト７ａと、該ボルト７ａのねじ部７ｃに螺合されるナット７ｂが用いられる。
【００１５】
図１（Ｅ）に示すように、通しボルト１５として、一端に中空状の頭部１５ａを有し、他端部にねじ部１５ｂを有するデンデンボルトが用いられる。前記ボルト１５は、２本一対となって前記横棒体７に連結されるが、頭部１５ａの中空部を前記横棒体７に挿着するので、回動自在である。このボルト１５のねじ部１５ｂにはナット１６が螺着される。
【００１６】
次に、本実施形態の作動について説明するが、最初に、アキュムレータの架台１を組立てる場合について説明する。台座３の一方の側壁３ｂの支持穴９に横棒体７の先端部（ねじ部７ｃ）を挿入するとともに、該横棒体７に２本のデンデンボルト１５の頭部１５ａを挿入する。更に、前記横棒体７を同方向に摺動させ、他方の側壁３ｂの支持穴９を貫通させた後、ねじ部７ｃにナット７ｂを螺合し固定する。
【００１７】
前記台座３の２本のデンデンボルト１５を所定間隔離、即ち、第１ボルト穴１７と第１ボルト穴１７との間隔、第２ボルト穴２２と第２ボルト穴２２の間隔、離し、前記ボルト穴１７，２２に挿入できるようにする。
【００１８】
平行な前記２本の通しボルト１５の先端部（ねじ部１５ｂ）を、前記柱体１０の第１ボルト穴１７、１７及び脚体２０の第２ボルト穴２２，２２に挿入し、前記柱体１０の前壁１０aの当接部に台座３の当接部３ａを圧接させ、前記柱体１０の後壁１０ｂの当接部に脚体２０の当接部１０ｃを圧接させた後、脚体２０の第２ボルト穴２２，２２から突出しているねじ部１５ｂに、ナット１６を螺合し締め付ける。これにより前記柱体１０、台座３、脚体２０は強固に固定され、一体となる。
【００１９】
前記組立作業が完了後、座台３及び脚体２０の取付穴５，２４にボルトを挿入し、架台を所定取付位置に固定する。その後、前記台座３にアキュムレータＡＣＣを載置し、バンドなどで柱体１０に固定する。前記架台１を分解する場合には、前記組立工程と逆の行程を順序行うことにより簡単に分解することができる。
【００２０】
この考案の第２実施形態を図４により説明するが、図１〜図３と同一図面符号は、その名称も機能も同一である。この実施形態と第１実施形態との相違点は、通しボルト１１５である。この通しボルト１１５は、ねじ部１１５ｂ側は、前記第１実施形態と同様に２本になっているが、頭部１１５ａ側は一本に纏められていることである。
【００２１】
この考案の第３実施形態を図５により説明するが、図１〜図３と同一図面符号は、その名称も機能も同一である。この実施形態と第１実施形態との相違点は、通しボルト１５に連結されている横棒体７の両端部に、抜け止め部１０７ａ，１０７ｂが形成され、該横棒体７の取り外しが不可能となっていることである。
【００２２】
この考案の第４実施形態を図６により説明するが、図１〜図３と同一図面符号は、その名称も機能も同一である。この実施形態と第１実施形態との相違点は、
（１）台座１０３の両端に当接部３ａ，３ａを設けると共に、その両端部の両側壁３ｂ、３ｂに支持穴９．９を設けたこと、
（２）台座１０３の両端部に柱体１０を配設したこと、
（３）脚体２０が二本用いられること、である。
この様にすると、一つの台座１０３で２個の柱体１０を備えることができるので、二本のアキュムレータを対向させて同時に支持することができる。
【００２３】
この考案の第５実施形態を図７により説明するが、図１〜図３と同一図面符号は、その名称も機能も同一である。この実施形態と第１実施形態との相違点は、
（１）二本の台座３，３と二本の柱体１０，１０を用いること、
（２）前記二本の台座３，３及び柱体１０１０が、一本の脚体１２０に横棒体７及び通しボルト１５により並列に固定されていること、である。
この様にすることにより、アキュムレータを並列に配設することができる。
【００２４】
この考案の実施形態は、上記に限定されるものではなく、例えば、次の様にすることもできる。
（１）柱体、台座を四角パイプで形成する代わりに、四角柱などの角材で形成することができる。
（２）脚体は、Ｌ字状の板体の代わりに、四角パイプなどで形成してもよい。
（３）脚体を第５実施形態より更に伸ばして、３本以上の台座及び柱体を固定し、３本以上のアキュムレータを並列に配設するようにしてもよい。
【符号の説明】
【００２５】
３    台座
７    横棒体
１０  柱体
１５  通しボルト
２０  脚体
【図１（Ａ）】
0003170557.tif 000003
【図１（Ｂ）】
0003170557.tif 000004
【図１（Ｃ）】
0003170557.tif 000005
【図１（Ｄ）】
0003170557.tif 000006
【図１（Ｅ）】
0003170557.tif 000007
【図２】
0003170557.tif 000008
【図３】
0003170557.tif 000009
【図４】
0003170557.tif 000010
【図５】
0003170557.tif 000011
【図６】
0003170557.tif 000012
【図７】
0003170557.tif 000013